(57)【特許請求の範囲】
【請求項１】
ドライバブレードと、ドライバブレードにより打撃される止具を案内するネイルガイドと、ネイルガイド内で止具を吸着保持するためにネイルガイドに設けられた穴に挿入されるマグネットと、マグネットを保護するマグネットカバーとを有する打込機において、
前記マグネットカバーをネイルガイドの外周をほぼ覆うような形状とすると共にマグネットカバーをネイルガイドの穴に挿入されたマグネットの面と接触させたことを特徴とする打込機の止具保持装置。
【請求項２】
前記マグネットカバーのマグネットと接触する部分に凸部を設けたことを特徴とする請求項１記載の打込機の止具保持装置。
【発明の詳細な説明】
【０００１】
【発明の属する技術分野】
本発明はネイルガイドにマグネットを設け、マグネットによってネイルガイド内で釘等の止具を吸着保持するようにした打込機の止具保持装置に関するものである。
【０００２】
【従来の技術】
従来例として本出願人が先に出願した実開昭６３−７０８８８号、特開平６−２８５７７３号、特願平６−２９１５３９号及び特願平８−１１６４１５号を挙げ、打込機の打込動作を図１、図４を用いて説明する。
まず、釘頭部３ｃを上下摺動可能に設けられたネイルガイド２内に挿入し、釘先端３ｂを図示しない打込材に押し付ける。このように釘先端３ｂを打込材に押し付けると、釘頭部３ｃがプッシュレバー１２の釘感知部１２ａに突き当り、釘３が釘感知部１２ａを押し上げる力がプッシュレバー１２を射出口側に押圧しているスプリング１８の押圧力より大きくなると、プッシュレバー１２は上方に押し上げられトリガ１３のロックは解除される。
トリガ１３のロックを解除した状態でトリガ１３を引くと、ヘッドバルブ１７の上部に蓄積されていた圧縮空気が空気通路１９を通りトリガバルブ２０から抜けるのでヘッドバルブ１７が上昇し、圧縮空気が急激にシリンダ１４内へ流入してピストン１５が急激に下降し、ピストン１５と一体に結合されているドライバブレード１６が釘頭部３ｃを打撃して釘３を図示しない打込材に打込む。トリガ１３を放すと、ヘッドバルブ１７が下降するためピストン１５及びドライバブレード１６はシリンダ１４外周に蓄積された圧縮空気により図１に示す位置に復帰する。
ネイルガイド２内の釘３が図示しない打込材へ面一に打込まれるまで、この操作を数回繰り返す。
【０００３】
図４に示すようにネイルガイド２の先端には穴２ａが設けられ、穴２ａにはマグネット５とマグネットカバー７が挿入され接着剤によってネイルガイド２と結合されており、釘３をネイルガイド２に挿入したときに釘軸部３ａが吸着部４に吸着保持するようになっているので、手で釘３を支える必要がなく、片手で打込機本体１と釘３が保持でき、打込個所に狙いやすいと共に安全な構造となっている。また、ネイルガイド２内には釘３の吸着時に釘軸部３ａがドライバブレード１６の打撃方向とほぼ平行となるように段差９があり、段差９は緩やかな斜面１０で吸着部４とつながっている。
【０００４】
マグネットカバー７は、マグネット５のネイルガイド２の吸着部４側の面を除いた面をほぼ覆う形状をしており、ネイルガイド２より軟質の材料で形成されている。これは打込時に生じる衝撃力をマグネットカバー７によって吸収しマグネット５を保護するためであり、マグネット５をマグネットカバー７によってほぼ覆い、接着剤によって結合することで、ネイルガイド２からマグネット５が離脱するのを防止している。
【０００５】
【発明が解決しようとする課題】
上記した打込機のドライバーブレード１６は上死点から下死点に向かって移動し、釘３を打撃して打込材に打込むものであるが、実際にはネイルガイド２の斜面１０やドライバーブレード１６と釘３の偏心等によって、釘３が軸方向に対して直角方向に移動したり、変形や座屈してしまうため、ドライバーブレード１６の打撃力は全てが釘３を打込む打込み力とはならずに分力としてネイルガイド２の吸着部４にも働く。
比較的小さな止具を使用する打込機や出力の小さな打込機ならば、ネイルガイド２の吸着部４に働く上記分力は小さいので問題は少ないが、打込機の出力を大きくした場合や、全長の長い釘や軸径の太い釘、または固い打込材に打込む場合には、ネイルガイド２の吸着部４に働く分力は大きなものとなり、吸着部４が変形してしまう。
【０００６】
上記したような従来の打込機では、吸着部４が変形してしまうと、マグネット５が破損し、マグネット５とネイルガイド２の接着が破壊し、更にネイルガイド２とマグネットカバー７の接着も破壊し、マグネット５及びマグネットカバー７がネイルガイド２から離脱してしまう恐れがあるという欠点があった。
本発明の目的は、上記欠点を解消し、マグネットの離脱を確実に防止することのできる打込機の止具保持装置を提供することである。
【０００７】
【課題を解決するための手段】
上記した目的は、マグネットカバーをネイルガイドの外周をほぼ覆う形状とすると共にマグネットカバーをネイルガイドの穴に挿入したマグネットの面に接触させることにより達成される。
更に、マグネットカバーのマグネットと接触する部分を凸部とすることにより達成される。
【０００８】
【発明の実施の形態】
本発明打込機の止具保持装置の一実施例を図１〜図３に示す。なお、ネイルガイド２付近の構成以外は従来と同一であるのでその説明を省略する。
図に示すようにネイルガイド２の先端には、釘３を吸着部４で吸着保持するようにマグネット５を挿入するための穴２ａと、マグネットカバー７が振動等でズレないように嵌合するための溝８を設けている。また、釘３をネイルガイド２内に挿入して吸着部４に吸着させたときに、釘軸部３ａがドライバブレード１６の打撃方向とほぼ平行になるようにネイルガイド２内には段差９があり、段差９は緩やかな斜面１０で吸着部４とつながっている。
【０００９】
マグネット５は外径が穴２ａの内径以下であり、容易に穴２ａに挿入しやすいようになっている。
薄い鋼板等の材料でほぼＵ字形に形成されマグネットカバー７は図２、図３に示すようにネイルガイド２の外周に設けられた溝８に嵌合し、先端を約９０°折り曲げているため、装着時の把持力を十分に持つと共に取付け取外しが可能となっている。また、マグネットカバー７には凸部７ａが設けられており、凸部７ａはネイルガイド２の穴２ａに挿入されたマグネット５の面と接触している。
【００１０】
従来と同様にネイルガイド２の斜面１０やドライバーブレード１６と釘３の偏心等によって、釘３が軸方向に対して直角方向に移動したり、変形や座屈してしまい、ドライバーブレード１６の打撃力がネイルガイド２の吸着部４にも働きネイルガイド２の吸着部４が変形してしまったとしても、上記したような構成とすれば、マグネット５が破損することはあるがマグネットカバー７はネイルガイド２から外れることはないので、マグネット５がネイルガイド２から離脱することを確実に防止できる。
【００１１】
また、図に示すようにマグネットカバー７のマグネット５と接触する部分に凸部７ａを設けることにより、関係部品の出来上がり寸法に左右されずにマグネットカバー７とマグネット５とを必ず接触させることができるようになる。
【００１２】
【発明の効果】
本発明によれば、マグネットカバーをネイルガイドの外周をほぼ覆う形状とすると共にネイルガイドの穴に挿入したマグネットの面に接触させたので、ネイルガイドが変形したとしてもマグネットがネイルガイドから離脱することを防止できるようになる。
【図面の簡単な説明】
【図１】  本発明打込機の一実施例を示す断面正面図。
【図２】  図１の要部拡大図。
【図３】  図１のＡ−Ａ線断面図。
【図４】  従来の打込機の一例を示す要部拡大断面図。
【符号の説明】
２はネイルガイド、２ａは穴、４は吸着部、５はマグネット、７はマグネットカバー、７ａは凸部である。
【図１】
0003948036.tif 000002
【図２】
0003948036.tif 000003
【図３】
0003948036.tif 000004
【図４】
0003948036.tif 000005